(57)【要約】【課題】  ファイル対象紙片のファイリング用として充分なファイル用バインダと綴じ金具との結合強度を持ち、廃棄の必要が生じた場合には容易に相互の分離ができること。【解決手段】  ファイリング部１とファイル用バインダ２に固設するための板状ベース部３とからなり、板状ベース部３には二つの係止孔４、４及び離脱器具挿入部５、５を備える。係止孔４、４は板状ベース部３の長さ方向両端近傍にリベット６の軸部径を僅かに越える径に開口し、かつその外側に同心円状にリベット６の頭部より大径で二カ所に不連続部７ａ、７ａを有する円弧状切り抜き部７、７を配し、更に各係止孔４から円弧状切り抜き部７、７に繋がる二つの連通小溝８、８を構成したものとする。離脱器具挿入部５は板状ベース部３の係止孔４、４に近接する側部に門型に構成する。【選択図】  図４
0003105933.tif 000002
【実用新案登録請求の範囲】
【請求項１】
ファイル対象紙片を綴じるファイリング部と、これを支持し、かつファイル用バインダの背表紙部内面又は表紙部内面の背表紙部に近接する位置に固設するための板状ベース部とからなる綴じ金具に於いて、
前記板状ベース部に、リベット又はアイレットを該ファイル用バインダの該当部位に開口した結合孔と併せて貫通させて固定するための二以上の係止孔であって、各々を囲む状態に、該リベット又はアイレットの頭部より大径であり、その途中に一以上の不連続部を有し、かつ該係止孔から一以上の連通小溝を連通させた円弧状切り抜き部を配した二以上の係止孔を備えた綴じ金具。
【請求項２】
前記板状ベース部の前記係止孔に近接する側部に、該板状ベース部を前記ファイル用バインダの所定の部位に取り付けた場合に、該ファイル用バインダとの当接面との間に離脱器具のマイナスドライバ状の先端が挿入可能であるように、門型に立ち上げた離脱器具挿入部を形成した請求項１の綴じ金具。
【考案の詳細な説明】
【技術分野】
【０００１】
本考案は、ファイル対象紙片を綴じるファイリング部と、これを支持しつつファイル用バインダの背表紙部内面又は表紙部内面の背表紙部に近接する部位に取り付けるための板状ベース部とからなる綴じ金具であって、種々のファイル対象紙片のファイリングには差し支えなく使用できるとともに、何らかの理由により破棄する必要が生じた際に、容易にこれをファイル用バインダから取り外すことができる綴じ金具に関するものである。
【背景技術】
【０００２】
従来より、多くの場合に、ファイル用バインダに対する綴じ金具の取り付けは、前者に後者を、後者の板状ベース部のリベット穴を前者のリベット穴に一致させて位置決めするとともに、一致させた双方のリベット穴にリベットを挿入し、該リベットに必要な加締め操作を加えて行っていたものである。
【０００３】
こうして綴じ金具はファイル用バインダの内面の所定の位置に確実に固定され、そのため、その用法にしたがって用いる限りでは、両者の結合が確実であることは、好都合であり、何の問題もないことは云うまでもない。
【０００４】
しかしこのようなファイル用バインダも、長期間の使用によって損傷が生じる等の何らかの理由により、いずれ破棄すべき時期が到来することは避けられないものである。またその際には、材質の異なる各部を結合した状態のまま廃棄することは許されず、各部を材質毎に分解し、材質ごとに分別して廃棄すべきことが近時の社会的要請である。
【０００５】
このような場合に、前記のようなファイル用バインダと綴じ金具とのリベット結合は強固に過ぎるため、この結合に損傷を生じさせ、ファイル用バインダから綴じ金具を取り外すのは容易なことではない。素手で壊すのは、云うまでもなく、殆ど不可能であり、たとえば、前記板状ベース部とファイル用バインダの内面との間等に離脱器具のマイナスドライバ状の先端等を挿入して該ファイル用バインダから綴じ金具を引き離そうとしたとしても、相当な力が必要であり、その離脱器具の損傷が生じる虞もあり、なかなかその分離は困難である。
【０００６】
そのためこれらの問題を解決すべくいくつかの提案がある。
その一例は、ファイル用金具を形成する長方形の金属基板に、鳩目部材の軸部が挿入でき、鳩目部材の押しつぶし部が引っ掛かって抜け取れないような切欠凸片を有する切欠孔を穿設したファイル用金具である（特許文献１）。
【０００７】
この特許文献１のファイル用金具の場合は、ファイル用バインダの所定の部位に前記金属基板を配し、前者の係止孔と後者の切欠孔を一致させ、該係止孔及び該切欠孔に鳩目部材の軸部を挿入する際に、該金属基板側では、該鳩目部材の押しつぶし部を該切欠孔の周縁及び切欠凸片の双方に係止するように配することで、該金属基板をファイル用バインダに固定することができるようになっている。該金属基板をファイル用バインダから取り外す場合は、該鳩目部材を前記切欠凸片と反対側に移動させ、その押しつぶし部から該切欠凸片を離脱させた上で、該切欠凸片を先の尖った適当な工具類を用いて起こし、こうして拡大された切欠孔から該鳩目部材の押しつぶし部を引き抜けば良い。
【０００８】
この特許文献１のファイル用金具によれば、以上のように、ファイル用バインダに取り付けた金属基板を容易に取り外すことができるもので、その点では優れたものであるが、一方、前記鳩目部材は、ファイル用バインダの使用中にも移動を生じる虞があり、この移動がその押しつぶし部を前記切欠凸片から外す方向に生じた場合は、該ファイル用金具のファイル用バインダへの固定が不安定になる虞がある。
【０００９】
その二例は、台紙に設けられた第１リベット挿通孔に、綴じ具に設けられた第２リベット挿通孔を対応させ、前記第１リベット挿通孔及び前記第２リベット挿通孔へリベットの軸部を挿通させてかしめることにより、前記台紙に対して前記綴じ具を固定するファイルに於いて、
前記第１リベット挿通孔の周囲に各一端がこれに連通している複数の溝を放射状に設けたファイルである（特許文献２）。
【００１０】
この特許文献２のファイルの場合は、多くの場合、金属で構成される綴じ具と異なり、脆弱な紙類で構成される台紙側のリベット挿通孔に複数の溝を放射状に形成したものであるため、廃棄の際には、該リベット挿通孔を該溝を利用して壊すことにより容易に綴じ具と該台紙との結合を解消させることができる利点はあるが、そのように脆弱な部分を更に脆弱にしたものであるため、台紙の耐久性を低下させる虞がある。そのため、ファイルの通常の耐用期間を短縮してしまう虞がある。
【００１１】
【特許文献１】実用新案登録第３０７５２２７号公報
【特許文献２】実用新案登録第３０６０７３７号公報
【考案の開示】
【考案が解決しようとする課題】
【００１２】
本考案は、以上の特許文献１及び２の問題点を解消し、一方では、対象紙片のファイリング用として確実な綴じ込みが確保でき、かつ充分なファイル用バインダと綴じ金具との結合強度及び耐久性を持つとともに、他方では、廃棄の必要が生じた場合には、容易に相互の分離ができるようにした綴じ金具を提供することを解決の課題とする。
【課題を解決するための手段】
【００１３】
本考案の１は、ファイル対象紙片を綴じるファイリング部と、これを支持し、かつファイル用バインダの背表紙部内面又は表紙部内面の背表紙部に近接する位置に固設するための板状ベース部とからなる綴じ金具に於いて、
前記板状ベース部に、リベット又はアイレットを該ファイル用バインダの該当部位に開口した結合孔と併せて貫通させて固定するための二以上の係止孔であって、各々を囲む状態に、該リベット又はアイレットの頭部より大径であり、その途中に一以上の不連続部を有し、かつ該係止孔から一以上の連通小溝を連通させた円弧状切り抜き部を配した二以上の係止孔を備えた綴じ金具である。
【００１４】
本校案の２は、本考案の１の綴じ金具に於いて、前記板状ベース部の前記係止孔に近接する側部に、該板状ベース部を前記ファイル用バインダの所定の部位に取り付けた場合に、該ファイル用バインダとの当接面との間に離脱器具のマイナスドライバ状の先端が挿入可能であるように、門型に立ち上げた離脱器具挿入部を形成したものである。
【考案の効果】
【００１５】
したがって本考案の１の綴じ金具によれば、従来一般の綴じ金具と同様に用いて、そのファイル用バインダへの取り付けに特に問題はなく、取り付け後は、ファイリングに於ける使い勝手にも不都合なく、かつ強度上及び耐久性上にも問題なく、更に廃棄処分の必要が生じた場合には、ファイル用バインダと綴じ金具との分離が極めて容易に行い得られ、それ故、材質に応じた分別処分が容易に実現できることとなるものである。
【００１６】
本考案の２の綴じ金具によれば、廃棄処分のためにファイル用バインダから綴じ金具を取り外す際に、後者の板状ベース部とファイル用バインダのこれに対面する部位との間に離脱器具のマイナスドライバ状の先端を極めて容易に挿入し得ることとなり、その結果、その間の拡開操作が容易に行い得られることとなるものである。
【考案を実施するための最良の形態】
【００１７】
本考案は、基本的に、ファイリング部と、ファイル用バインダに固設するための板状ベース部とからなる綴じ金具に於いて、
前記板状ベース部に、二以上の係止孔を開口し、該係止孔の各々を囲む状態に、その途中に一以上の不連続部を有し、かつ該係止孔から一以上の連通小溝を連通させた円弧状切り抜き部を配してなる綴じ金具である。
【００１８】
なお前記結合孔及び係止孔は、綴じ金具をファイル用バインダに取り付ける際に、該係止孔を該結合孔に一致させた上で、同時に両者中にリベット又はアイレットを貫通させて固定するためのものである。
また前記円弧状切り抜き部は、以上のリベット又はアイレットの頭部より大径に形成すべきものである。
【００１９】
前記綴じ金具は、ファイリング部と、これを支持し、かつファイル用バインダに取り付けるための板状ベース部とを備えた全てのそれが適用対象である。該ファイリング部は、パンチ穴を利用して綴じるタイプのそれやパンチレスタイプのそれ等のいずれでも良い。また板状ベース部は、ファイル用バインダの背表紙部内面又は表紙部内面の背表紙部に近接する位置の内のいずれの部位に取り付けるものであっても良い。
【００２０】
前記係止孔は、リベット又はアイレットをファイル用バインダの該当部位に開口した結合孔とともに貫通させて固定するための手段であるが、前記ファイル用バインダに綴じ金具を取り付けて、ファイル対象紙片を綴じて用いるには充分な強度を確保できる一方で、廃棄する際には、ファイル用バインダと綴じ金具とを比較的容易に分離することができる程度の強度を確保すべきものである。
【００２１】
具体的には、前記係止孔は、第一に、その外側に、これを囲むように、より好ましくはこれと同心円状で、リベット又はアイレットの頭部より大径であり、かつその途中に一以上の不連続部を有する円弧状切り抜き部を配したものであり、この係止孔とファイル用バインダの結合孔とにリベット等を貫通させて該ファイル用バインダに綴じ金具を結合固定した場合は、その結合は、離脱器具のマイナスドライバ状の先端を該ファイル用バインダと綴じ金具の板状ベース部との間に挿入してその間を拡開しようとした場合に、比較的容易に解除される程度のものとなる。
【００２２】
即ち、このような場合に、該円弧状切り抜き部の内側の部位が容易に変形し、または断裂分離することとなり、リベット等の頭部等が容易に前記板状ベース部から離脱することとなるからである。
【００２３】
前記係止孔は、第二に、その周縁から各々外方に向かって延びる小さな溝である連通小溝を備えており、その連通小溝は、各々外端が前記円弧状切り抜き部を僅かに越える部位まで延長したものとなっている。それ故、前記のように離脱器具のマイナスドライバ状の先端を操作すると、該円弧状切り抜き部の内側の部位は、該連通小溝の作用で更に容易に変形し、リベット等の頭部は容易に前記板状ベース部から離脱することができることとなる。
【００２４】
他方、前記板状ベース部の該係止孔に近接する側部には、該板状ベース部を前記ファイル用バインダの所定の部位に取り付けた場合に、該ファイル用バインダとの当接面との間に離脱器具のマイナスドライバ状の先端が挿入可能であるように、門型に立ち上げた離脱器具挿入部を形成するのが良い。該離脱器具挿入部の高さは、云うまでもなく、離脱器具のマイナスドライバ状の先端を挿入できるだけのものであれば良い。
【００２５】
したがって本考案の綴じ金具によれば、ファイル用バインダにこれを取り付ける場合は、従来の綴じ金具を取り付ける場合と同様に特に問題なくこれを行うことができるし、ファイル用バインダへの綴じ金具の取り付け強度及び耐久性も充分に確保できる。また本考案の綴じ金具を取り付けたファイル用バインダは、一方でファイル対象紙片のファイリングを、その綴じ金具のファイリング部の構成に従い、パンチ孔を開けて又は開けずに、従来一般のこの種の綴じ金具を用いた場合と同様に行うことができるし、他方でその廃棄の際に、容易に綴じ金具とファイル用バインダとの分離を行うことができるものでもある。
【００２６】
本考案の綴じ金具は、そのファイリング部の構成に応じて、ファイル用バインダの背表紙部の内面又は表紙部内面に於ける背表紙部に近接する部位に取り付ける。いずれにしてもファイル用バインダの該当する内面に該綴じ金具の板状ベース部を当接させ、前者の結合孔と後者の係止孔とを一致させる。その後、相互に一致している結合孔と係止孔とにリベット又はアイレットを挿入貫通させ、前者の場合はそのまま加締め操作し、後者の場合は適温に加熱したコテを用いて加締め操作を行う。こうして、本考案の綴じ金具は、従来の綴じ金具と同様に、特別な操作等を必要とすることなく、容易にファイル用バインダに固設することができる。
【００２７】
ファイル用バインダは、この状態で、既述のように、一般の綴じ金具を取り付けたものと全く同様に、ファイル対象紙片のファイリングに用いることができる。綴じ方は、綴じ金具のファイリング部の構成に従うのは云うまでもない。また既述のように、通常のファイル対象紙片のファイリングに於いて、ファイル用バインダと綴じ金具との結合強度が問題になることもなく、必要かつ充分な強度を確保することができる。
【００２８】
また長期間の使用等によって損傷が生じる等、本考案の綴じ金具を取り付けたファイル用バインダを廃棄する必要が生じた場合は、既述のように、ファイル用バインダから綴じ金具を容易に取り外し、各々を分別して処分することができる。
【００２９】
この分離作業は、綴じ金具の板状ベース部とファイル用バインダの該当する部位との間に、既述のように、離脱器具のマイナスドライバ状の先端を挿入し、両者の隙間を広げるように操作することによって行うことができる。
【００３０】
例えば、前記のように、マイナスドライバ状の先端を有する離脱器具等を用いて、該板状ベース部とファイル用バインダとの隙間を広げようとすると、該係止孔の外側に、これを囲むように一以上の不連続部を有する円弧状切り抜き部を配し、加えて該係止孔から該円弧状切り抜き部に連通する連通小溝が形成してあるため、該円弧状切り抜き部の内側の部位が容易に変形し、リベット等の頭部は、これに断裂片等が一切残存するようなことなく容易に該係止孔から外れ、前記板状ベース部から離脱されることとなる。これを係止孔の数だけ行えば、該板状ベース部とファイル用バインダの結合が完全に解除され、両者は分離状態となる。
【００３１】
前記のように、前記板状ベース部の側部に、前記係止孔に近接させて門型に立ち上げた離脱器具挿入部を形成した場合は、その離脱器具挿入部に離脱器具のマイナスドライバ状の先端を挿入し、この部位と前記ファイル用バインダの対応する部位との隙間を拡開するように操作すれば、挿入操作も拡開操作も容易であり、既述のようなリベット又はアイレットと板状ベース部の係止孔との分離操作を極めて容易に行えることとなる。
【００３２】
したがって本考案の綴じ金具をファイル用バインダに取り付けた場合は、その廃棄の際に、容易に材質毎にそれを分解し得、そのため容易に分別廃棄をすることができるものとなり、近時の社会的な要請に応えることができるものとなる。
【実施例１】
【００３３】
この実施例の綴じ金具は、図１〜図４に示すように、基本的に、ファイリング部１とファイル用バインダ２に固設するための板状ベース部３とからなり、その板状ベース部３には、二つの係止孔４、４及びその各々に近接する離脱器具挿入部５を備えたものである。
【００３４】
前記ファイリング部１は、図１〜図４に示すように、前記板状ベース部３の一側辺（図１中では下辺）に沿って、その上面に対して離接自在に配した綴じ板１ａと、この綴じ板１ａを該板状ベース部３の対応する上面に当接する方向に動かすべく操作し、或いは離間する方向への動きを許容すべく操作するためのレバー１ｂとを基本的構成要素としてなるものである。
【００３５】
前記板状ベース部３には、その他側辺（図１中では上辺）に沿って側板３ａを立ち上げ、かつこの側板３ａに平行に定間隔で４個のストッパ片３ｂ、３ｂ…を立ち上げる。これらのストッパ片３ｂ、３ｂ…は、一方で、該板状ベース部３の該当する上面及び前記綴じ板１ａの間にファイル対象紙片の一側辺を挿入した際に、その挿入限度を規制するストッパの役割を果たすものであり、他方で、その一部は、後述するように補助アーム１ｆ等を支持するブラケットとしての役割を果たすものでもある。
【００３６】
前記ストッパ片３ｂ、３ｂ…の内、図１中右から２番目のそれと前記側板３ａとの間に軸を配し、この軸で前記レバー１ｂを起伏自在に支持する。またその軸には捻りコイルバネ１ｃを巻き付け、その一端から延長したアーム１ｄの先端で前記綴じ板１ａの中央部を支持し、該捻りコイルバネ１ｃの他端から延長したアーム１ｅで前記レバー１ｂを該綴じ板１ａとの関係で相対的に起立方向に付勢する。
【００３７】
前記捻りコイルバネ１ｃを配したストッパ片３ｂの両側のストッパ片３ｂ、３ｂと前記側板３ａの各対応する部位とにクランク状の補助アーム１ｆ、１ｆの一端の直線部を回動自在に取り付け、他端の直線部をそれぞれ前記綴じ板１ａに回動自在に取り付ける。取付位置は、前記アーム１ｄの先端取付部の両側から定間隔の位置である。
【００３８】
それ故、前記レバー１ｂを、図２に示すように、起立させると、前記綴じ板１ａは前記板状ベース部３の上面から上昇し、これから離間した状態になる。逆に、図１に示すように、該レバー１ｂを伏操作すると、該綴じ板１ａは該板状ベース部３上に弾力的に当接する状態となる。該レバー１ｂには、図２に示すように、その側部に爪片１ｇが形成してあり、該レバー１ｂを伏操作した場合は、該爪片１ｇが前記側板３ａの対応する部位に形成してある係止開口３ｃの上辺に係止できるようになっている。
【００３９】
前記二つの係止孔４、４は、図１、図３及び図４に示すように、各々前記板状ベース部３の長さ方向の両端（即ち、図１中左右端）に配する。それぞれの係止孔４は、特に図６(a)、(b)に示すように、リベット６又はアイレットの軸部の径を僅かに越える径に開口し、それぞれの外側に、同心円状に、リベット６又はアイレットの頭部より大径であり、かつ二カ所に不連続部７ａ、７ａを有する円弧状切り抜き部７、７を配し、更に該係止孔４から該円弧状切り抜き部７、７に繋がる二つの連通小溝８、８を構成したものとする。
【００４０】
各円弧状切り抜き部７は、前記のように、その途中の二カ所に不連続部７ａ、７ａを構成すべきものであるが、特に図１及び図６(a)、(b)に示すように、これらの不連続部７ａ、７ａは相互に該係止孔４の中心を中心として１８０度の位置関係になるように配する。
【００４１】
該円弧状切り抜き部７は、板状ベース部３の該当する部位の表裏を線状に完全に切り抜いた構成であり、かつ前記不連続部７ａ、７ａは、板状ベース部３の該当する部位の表面に浅く切り込みを入れた構成である。不連続部７ａ、７ａの長さ及び切り込みの深さは、綴じ金具とファイル用バインダとの取付強度を考慮して決定する。また、この実施例では、不連続部７ａ、７ａは、前記円弧状切り抜き部７の途中の二カ所に設けることとしているが、綴じ金具とファイル用バインダとの取付強度との関係から、一カ所としても良いし、三カ所以上としても良いのは云うまでもない。
【００４２】
前記連通小溝８、８は、特に図１及び図６(a)、(b)に示すように、係止孔４の１８０度異なる内周の位置からそれぞれ外方に向かって延びる小さな溝であり、その外端は各々前記円弧状切り抜き部７を僅かに越える部位まで延長する。前記不連続部７ａ、７ａとの関係で云うと、該連通小溝８、８は、これらを連結する直線が該不連続部７ａ、７ａを連結する直線と９０度の角度で交差するように、位置関係を設定したものである。
【００４３】
前記離脱器具挿入部５、５は、先に述べ、かつ図１〜図５に示すように、板状ベース部３の係止孔４、４に近接する側部に形成する。より具体的には、該係止孔４、４にそれぞれ近接する側部であって、前記綴じ板１ａに近接する長い側辺の両端近傍に形成する。また該離脱器具挿入部５、５は、特に図２に示すように、それぞれ必要な高さの門型に立ち上げ、離脱器具のマイナスドライバ状の先端９がその中に挿入可能であるようにする。
【００４４】
したがってこの実施例の綴じ金具によれば、ファイル用バインダ２にこれを取り付ける場合は、従来の綴じ金具を取り付ける場合と全く同様に、特に問題なく、これを行うことができるし、ファイル用バインダ２への綴じ金具の取り付け強度も充分に確保できる。またこの実施例の綴じ金具を取り付けたファイル用バインダ２は、ファイル対象紙片のファイリングを、従来一般のこの種のパンチレスタイプの綴じ金具を用いた場合と全く同様に、前記綴じ板１ａと前記板状ベース部３とで挟持状態に綴じて行うことができるし、他方で、その廃棄の際に、容易に綴じ金具とファイル用バインダ２との分離を行うことができるものでもある。
【００４５】
この実施例の綴じ金具は、そのファイリング部１をパンチレスタイプに構成したものであるから、図３に示すように、ファイル用バインダ２の表紙部２ａの内面に於いて、背表紙部２ｂに近接する部位に取り付ける。ファイル用バインダ２の上下方向では中心付近である。
【００４６】
図３及び図４に示すように、ファイル用バインダ２の上記該当する内面に該綴じ金具の板状ベース部３の裏面を当接させ、予め開口してある前者の二つの結合孔と後者の係止孔４、４とを一致させる。その後、相互に一致している結合孔と係止孔４、４とに各々リベット６を挿入貫通させ、該各リベット６に一般の技法により加締め操作を行う。こうしてこの実施例の綴じ金具は、従来の綴じ金具と同様に、特別な操作を必要とすることなく、容易にファイル用バインダ２に固定することができる。
【００４７】
ファイル用バインダ２は、この状態で、既述のように、従来一般の綴じ金具を取り付けた場合と全く同様に、ファイル対象紙片のファイリングに用いることができる。ファイル対象紙片を綴じる場合は、まず、前記レバー１ｂを僅かに押し下げ操作し、かつ前記側板３ａから離間させて、前記爪片１ｇを前記係止開口３ｃの上辺から外した上で、該レバー１ｂを、図２に示すように、起立操作し、前記綴じ板１ａを前記板状ベース部３の上面から必要なだけ離間させる。次いで、該板状ベース部３と該綴じ板１ａとの間に、前記ストッパ片３ｂ、３ｂ…に当接するまで該ファイル対象紙片の側辺を装入し、その後、前記レバー１ｂを伏操作すれば、該ファイル対象紙片はその側辺が該板状ベース部３と該綴じ板１ａとの間で挟持状態に綴じられ、この状態のレバー１ｂは、前記爪片１ｇが前記係止開口３ｃの上辺に係止することでそのまま保持される。
【００４８】
また綴じたファイル対象紙片は、前記のようにして、レバー１ｂを起立操作すれば、何時でも板状ベース部３と綴じ板１ａとの間が離間することになり、これを容易に取り外すことができる。
【００４９】
このようなファイル対象紙片のファイリングに於いて、ファイル用バインダ２と綴じ金具との結合強度の不足が問題になることはない。即ち、必要かつ充分な強度を確保することができる。
【００５０】
また長期間の使用等によって、この実施例の綴じ金具を取り付けたファイル用バインダ２の一部に損傷が生じる等により廃棄する必要が生じた場合は、ファイル用バインダ２から綴じ金具を容易に取り外して、それぞれを材質に応じて分別処分することができる。
【００５１】
この分離作業は、綴じ金具の板状ベース部３の離脱器具挿入部５とファイル用バインダ２との間に、図５に示すように、離脱器具のマイナスドライバ状の先端９を挿入し、両者の隙間を広げるように操作することによって行うことができる。なおこの離脱器具挿入部５により極めて簡単に離脱器具のマイナスドライバ状の先端９が上記部位に挿入可能になるものである。
【００５２】
こうして綴じ金具の板状ベース部３とファイル用バインダ２との間隔を広げようとすると、前記係止孔４が、その外側に不連続部７ａ、７ａを備えた円弧状切り抜き部７を備え、かつ該円弧状切り抜き部７が前記二つの連通小溝８、８によって該係止孔４と連通し、該係止孔４と該円弧状切り抜き部７との間の部位を分断しているので、該円弧状切り抜き部７の内側の部位が容易に変形し、前記リベット６の頭部が該係止孔４から容易に離脱し、板状ベース部３のその部位とファイル用バインダ２の該当部位との結合が容易に解除されることとなる。
【００５３】
この実施例の円弧状切り抜き部７の内側の部位は、以上の操作により、容易に変形するため、リベット６の頭部が、その直下に該内側の部位等が断裂して生じる断裂物等を一切残すことなく、該係止孔４から離脱し、板状ベース部３のその部位とファイル用バインダ２の該当部位との結合が解除されることとなる。
【００５４】
この作業を両側の係止孔４、４について行えば、該板状ベース部３とファイル用バインダ２との結合が完全に解除され、両者は分離状態となる。
【００５５】
しかしてこの実施例の綴じ金具をファイル用バインダ２に取り付けた場合は、その廃棄の際に、容易に材質毎にそれを分解し得、そのため容易に分別廃棄をすることができるものとなり、近時の社会的な要請に充分に応えることができるものとなる。
【図面の簡単な説明】
【００５６】
【図１】綴じ板を綴じ状態にした実施例の綴じ金具の平面図。
【図２】綴じ板を引き上げて開放状態にした実施例の綴じ金具の側面図。
【図３】実施例の綴じ金具を取り付けたファイル用バインダの表紙部を開いた状態の概略説明図。
【図４】ファイル用バインダに取り付けた綴じ金具の一部切欠概略平面説明図。
【図５】綴じ金具をファイル用バインダから取り外す際の操作を説明する一部切欠拡大平面説明図。
【図６】(a)はリベットを配してない状態の係止孔を示す拡大正面図、(b)はリベットを配した状態の係止孔の拡大正面図。
【符号の説明】
【００５７】
１    ファイリング部
１ａ  綴じ板
１ｂ  レバー
１ｃ  捻りコイルバネ
１ｄ、１ｅ  アーム
１ｆ  補助アーム
１ｇ  爪片
２    ファイル用バインダ
２ａ  表紙部
２ｂ  背表紙部
３    板状ベース部
３ａ  側板
３ｂ  ストッパ片
３ｃ  係止開口
４    係止孔
５    離脱器具挿入部
６    リベット
７    円弧状切り抜き部
７ａ  不連続部
８    連通小溝
９    離脱器具のマイナスドライバ状の先端
【図１】
0003105933.tif 000003
【図２】
0003105933.tif 000004
【図３】
0003105933.tif 000005
【図４】
0003105933.tif 000006
【図５】
0003105933.tif 000007
【図６】
0003105933.tif 000008